(57)【要約】  【課題】防水形の点灯装置及び照明器具の電波雑音を抑制し、アースの連続性を確保し、製造コストを低減する。  【解決手段】第１の点灯ユニット51と第２の点灯ユニット52とを取付体12の基板部31に取り付ける。基板部31の両側に側板部32，33を立ち上げる。出力線16e，16fを一方の側板部32に沿わせて配置し、入力線16a，16bを他方の側板部33に沿わせて配置する。取付体12を筒状のケース体21に圧入する。取付体12に設けた爪状の圧接部41で、ケース体21の皮膜を剥いで、取付体12とケース体21とのアースの連続性を確保する。  【選択図】図１
2005093296.tif 000002
【特許請求の範囲】
【請求項１】
筒状のケース体と；
基板部及びこの基板部の両側部から立ち上げられた一対の側板部を備え、ケース体に収納された取付体と；
基板部に取り付けられた点灯回路と；
点灯回路に接続され、一方の側板部に沿って配置された出力線と；
点灯回路に接続され、他方の側板部に沿って配置された入力線と；
を具備していることを特徴とする点灯装置。
【請求項２】
点灯回路は、出力端子部を設けた第１の点灯ユニットと、この第１の点灯ユニットの出力が入力される入力端子部を設けた非常用の第２の点灯ユニットとを備え、
第１の点灯ユニットの出力端子部と、第２の点灯ユニットの入力端子部とは、相対向して配置された
ことを特徴とする請求項１記載の点灯装置。
【請求項３】
側板部には、ケース体の内側面に圧接される圧接部が突設された
ことを特徴とする請求項１または２記載の点灯装置。
【請求項４】
器具本体と；
器具本体に取り付けられた請求項１ないし３いずれか一記載の点灯装置と；
器具本体に取り付けられ、点灯装置の出力線に接続されたランプソケットと；
ランプソケットに装着されるランプと；
を具備していることを特徴とする照明器具。
【発明の詳細な説明】
【技術分野】
【０００１】
本発明は、筒状のケース体に点灯回路を収納した点灯装置及び照明器具に関する。
【背景技術】
【０００２】
従来、筒状のケース体にインバータ回路などの部品を収納し、防水性の向上を図った点灯装置を備えた照明器具が知られている(例えば、特許文献１参照。)。そして、この特許文献１記載の点灯装置では、インバータ回路(インバータ点灯装置)と第２の点灯回路(第２の点灯装置)とを同一の固定板に取り付け、筒状のケース体に収納している。また、この特許文献１には、ケース体の一端側からランプ線を引き出し、ケース体の他端側から電源線を引き出して、ランプ線から電源線への漏れ電流を抑制する構成が示されている。
【特許文献１】特開２００３−７１２２号公報  (第１、３、４頁)
【発明の開示】
【発明が解決しようとする課題】
【０００３】
しかしながら、上記のように、ケース体の一端側からランプ線を引き出すと、ランプ線の長さが長くなり、配線の取り回しが煩雑になる問題を有している。また、ケース体の両端側からランプ線を引き出す構成では、例えば、ランプ線と電源線とが交差し、あるいは重ねて束ねられた状態で、電波雑音が大きくなりやすいなどの問題を有している。
【０００４】
本発明は、このような点に鑑みなされたもので、電波雑音を容易に軽減できる点灯装置及び照明器具を提供することを目的とする。
【課題を解決するための手段】
【０００５】
請求項１記載の点灯装置は、筒状のケース体と；基板部及びこの基板部の両側部から立ち上げられた一対の側板部を備え、ケース体に収納された取付体と；基板部に取り付けられた点灯回路と；点灯回路に接続され、一方の側板部に沿って配置された出力線と；点灯回路に接続され、他方の側板部に沿って配置された入力線と；を具備しているものである。
【０００６】
そして、この構成では、点灯回路に接続される出力線と入力線とがケース体の内側で互いに離間するように振り分けて配置され、ケース体の内側での交差が抑制されるため、電波雑音が容易に抑制される。
【０００７】
請求項２記載の点灯装置は、請求項１記載の点灯装置において、点灯回路は、出力端子部を設けた第１の点灯ユニットと、この第１の点灯ユニットの出力が入力される入力端子部を設けた非常用の第２の点灯ユニットとを備え、第１の点灯ユニットの出力端子部と、第２の点灯ユニットの入力端子部とは、相対向して配置されたものである。
【０００８】
そして、この構成では、第１の点灯ユニットの出力端子部と第２の点灯ユニットの入力端子部とを相対向して配置したため、ケース体の内部での配線が短くなる。
【０００９】
請求項３記載の点灯装置は、請求項１または２記載の点灯装置において、側板部には、ケース体の内側面に圧接される圧接部が突設されたものである。
【００１０】
そして、この構成では、側板部の圧接部がケース体の内側面に圧接されるため、点灯回路を取り付けた取付体とケース体との電気的な導通の確保が容易になる。
【００１１】
請求項４記載の照明器具は、器具本体と；器具本体に取り付けられた請求項１ないし３いずれか一記載の点灯装置と；器具本体に取り付けられ、点灯装置の出力線に接続されたランプソケットと；ランプソケットに装着されるランプと；を具備しているものである。
【００１２】
そして、この構成では、請求項１ないし３いずれか一記載の点灯装置を備えたため、電波雑音が容易に抑制される照明器具が提供される。
【発明の効果】
【００１３】
請求項１記載の点灯装置によれば、点灯回路に接続される出力線と入力線とがケース体の内側で互いに離間するように振り分けて配置され、ケース体の内側での交差が抑制されるため、電波雑音を容易に抑制できる。
【００１４】
請求項２記載の点灯装置によれば、請求項１記載の効果に加え、第１の点灯ユニットの出力端子部と第２の点灯ユニットの入力端子部とを相対向して配置したため、ケース体の内部での配線を短くできる。
【００１５】
請求項３記載の点灯装置によれば、請求項１または２記載の効果に加え、側板部の圧接部がケース体の内側面に圧接されるため、点灯回路を取り付けた取付体とケース体との電気的な導通の確保を容易にできる。
【００１６】
請求項４記載の照明器具によれば、請求項１ないし３いずれか一記載の点灯装置を備えたため、電波雑音が容易に抑制される照明器具を提供できる。
【発明を実施するための最良の形態】
【００１７】
以下、本発明の点灯装置及び照明器具の一実施の形態を図面を参照して説明する。
【００１８】
図１は、本発明の点灯装置の一実施の形態を示す分解斜視図である。図２は、同上点灯装置の配線図である。図３は、同上点灯装置の断面図である。図４は、同上点灯装置の一部を拡大した斜視図である。図５は、同上点灯装置の一部を拡大した説明図である。図６は、同上点灯装置を備えた照明器具の斜視図である。
【００１９】
図６において、１は照明器具で、この照明器具１は、高湿度環境などで用いられる防水形あるいは防湿形などの防水用照明器具で、天井などの被取付面に直付される細長直方体箱状の器具本体２と、この器具本体２に取り付けられた一対のランプソケット３，３と、これらランプソケット３，３間に着脱可能に装着される直管形の蛍光ランプなどのランプ４と、器具本体２に収納された防水形の点灯装置10とを備えている。
【００２０】
そして、この点灯装置10は、図１ないし図５に示すように、点灯装置10の外郭をなす収容ケース11と、この収容ケース11に収納された取付体12と、この取付体12に取り付けられた点灯回路15と、この点灯回路15に接続された配線16と、この配線16に接続された図２に示す端子台17となどを備えている。
【００２１】
そして、収容ケース11は、筒状のケース体21を備え、このケース体21の長手方向の両端の開口部22，23をそれぞれケース端部材であるパッキン24，24と端板25，25で密閉し、さらに、これらパッキン24及び端板25を固着具であるねじ26にてケース体21に固定し、防水形の細長直方体箱状に形成されている。また、ケース体21は、導電性を有する金属などにて形成され、例えば、アルミニウムあるいはアルミニウム合金の押出し型材により一体に形成されているとともに、表面には耐候性を向上する酸化アルミニウム皮膜が形成されている。そして、パッキン24は、ゴムなどのシール材にて形成され、略矩形板状に形成されているとともに、配線16が液密に挿通可能な配線通孔24aが複数形成されている。さらに、端板25は、例えばケース体21と同じ金属にて形成され、ケース体21に３本のねじ26にて固定され、パッキン24をケース体21の開口部22，23の周囲に液密に密着させるとともに、配線16が挿通可能な配線通孔25aが形成されている。また、ケース体21の外面には、ラベル27が貼付され、また図示しないスイッチ挿通部などが設けられている。さらに、図３に示すように、ケース体21の外側部には、ねじ26が螺合される受部28が一体に形成されている。
【００２２】
また、取付体12は、底板とも呼ばれるもので、ケース体21の内側に圧入して固定される。そして、この取付体12は、導電性を有する金属などにて一体に形成され、例えば、細長矩形状の鉄板を折曲して基板部31及びこの基板部31の両側部から立ち上げられた一対の側板部32，33を備えた断面略コの字状に形成されている。そして、基板部31には、所定の位置に、略山形の凸部であるユニット固定部35が切り起こしなどで複数形成されている。すなわち、各ユニット固定部35は、先端側に向かい、幅寸法が小さくなるように形成されている。また、各側板部32，33の長手方向の両端部には、端部に向かって高さ寸法が小さくなるように傾斜した案内部38が形成され、ケース体21の内側への挿入作業が容易になっている。さらに、各側板部32，33の案内部38には、上側に向かって爪状に突設された圧接部41が形成されているとともに、配線支持部42が形成されている。各配線支持部42は、図４に示すように、側板部32，33に形成された孔部43と、この孔部43に近接して形成された切欠部44とを備え、孔部43を通り切欠部44に係止された結束具45により、配線16が各側板部32，33の内側面に沿って安定して配置されるようになっている。なお、これら案内部38や配線支持部42は、取付体12の長手方向の中間位置にも設けられ、配線16の支持が可能になっているとともに、この中間位置で切断された長さ寸法の取付体12の形成が容易になり、汎用性が高められている。
【００２３】
また、点灯回路15は、通常用の点灯ユニットである第１の点灯ユニット51と、非常用の点灯ユニットである第２の点灯ユニット52とを備えている。そして、各点灯ユニット51，52は、基台54と、この基台54上に取り付けられた回路基板などの回路部55と、この回路部55を覆って基台54上に取り付けられたカバー56と、基台54の長手方向の両端部近傍に取り付けられた端子部57とを備えている。そして、各点灯ユニット51，52の基台54は、導電性を有する金属などにて一体に形成され、例えば細長矩形状の鉄板を折曲して形成され、長手方向の両端部近傍にそれぞれ固定受部59が孔状に形成されている。
【００２４】
そして、第１の点灯ユニット51は、電子安定器であるインバータ回路を構成し、図２に示すように、長手方向の一端部に、端子台17を介して配線16を構成する商用交流電源の入力線16aが接続される入力端子部61が設けられ、長手方向の他端部に、ランプ点灯用の高周波出力の出力端子部62と、制御信号の信号出力端子部63とが設けられている。また、第２の点灯ユニット52は、非常用点灯回路を構成し、長手方向の一端部に、端子台17を介して配線16を構成する商用交流電源の入力線16aが接続される入力端子部65と、図示しないバッテリの直流電源を供給する入力線16bが接続される入力端子部66が設けられ、長手方向の他端部に、配線16を構成する中間接続線16cを介して第１の点灯ユニット51の出力端子部62に接続される入力端子部67と、配線16を構成する信号接続線16dを介して第１の点灯ユニット51の信号出力端子部63に接続される入力端子部68と、ランプソケット３，３に接続される配線16を構成する出力線16e，16fが接続される対をなす出力端子部69，69とが設けられている。
【００２５】
そして、これら点灯ユニット51，52は、第１の点灯ユニット51の出力端子部62と第２の点灯ユニット52の入力端子部67とを対向すなわち向かい合わせて、基台54に取り付けられている。
【００２６】
次に、この点灯装置10の組み立て工程を説明する。
【００２７】
まず、各点灯ユニット51，52を取付体12に固定するとともに、これら点灯ユニット51，52及び端子台17間を所定の配線16で接続する。なお、各配線16は、それぞれ色分けされている。そして、各点灯ユニット51，52の取付体12への固定は、取付体12から切り起こして突設されたユニット固定部35を、基台54に形成された固定受部59に挿入して嵌合し、さらに折り曲げる作業によりいわゆるねじレスで完了する。さらに、ユニット固定部35は、先端部より基端部の幅寸法の大きい略山形をなし、基端部の幅寸法は、固定受部59の内径より大きく形成されている。そこで、ユニット固定部35を固定受部59に圧入するのみで、各点灯ユニット51，52の基台54と取付体12とを電気的に接続し、アースの連続性が容易に確実に確保される。
【００２８】
次いで、各点灯ユニット51，52に接続された各配線16を、取付体12の両側の側板部32，33に沿って配置し、結束具45により位置決めする。ここで、配線16は、出力線16e，16fと入力線16a，16bとを両側に振り分け、かつ、これら出力線16e，16fと入力線16a，16bとが互いに交差しないように配置される。すなわち、出力線16e，16fは、一方の側板部32に沿って配置され、かつ、一組の出力線16eが取付体12の長手方向の一端に導かれ、他の組の出力線16fが、取付体12の長手方向の他端に導かれる。また、出力線16e，16f以外の入力線16a，16bなどの配線16は、他方の側板部33に沿って配置され、取付体12の長手方向の一端に導かれる。
【００２９】
次いで、各点灯ユニット51，52を取り付けた取付体12を、いずれかの開口部22，23からケース体21に圧入する。この圧入の際、取付体12の高さ寸法、すなわち、取付体12の基板部31の下面から、側板部32，33から突設した圧接部41までの寸法は、ケース体21の高さ方向の内径寸法より大きく形成されているため、取付体12がケース体21に安定して保持されるとともに、爪状に突設した圧接部41がケース体21の皮膜を削り取り、導電性を有する金属に食い込むようにして接触する。そこで、取付体12をケース体21に圧入するのみで、取付体12とケース体21とが電気的に接続し、点灯回路15を取り付けた取付体12とケース体21との電気的な導通すなわちアースの連続性が容易に確実に確保される。
【００３０】
次いで、各配線16をパッキン24の配線通孔24a及び端板25の配線通孔25aに挿入した状態で、パッキン24をケース体21の開口部22，23にあてがい、端板25をケース体21にねじ止めして、開口部22，23を液密に閉塞することにより、点灯装置10が構成される。
【００３１】
そして、この点灯装置10を備えた照明器具１は、通常時すなわち商用交流電源が供給されている状態では、第１の点灯ユニット51からの高周波の出力が第２の点灯ユニット52を介して出力線16e，16fに出力され、ランプ４が点灯する。
【００３２】
一方、非常時すなわち商用交流電源の供給が停止した状態や、テストスイッチが操作された状態では、バッテリの出力を第２の点灯ユニット52が変換して出力線16e，16fに出力し、ランプ４を点灯する。
【００３３】
そして、この実施の形態の点灯装置10及び照明器具１によれば、筒状のケース体21の内側に通常用の第１の点灯ユニット51及び非常用の第２の点灯ユニット52を内蔵し、防水性を有するようにパッキン24で開口部22，23を塞いだ防水用の点灯装置10を備えた照明器具１について、断面略コの字状の取付体12に各点灯ユニット51，52を取り付け、点灯回路15に接続される出力線16e，16fと入力線16a，16bとをケース体21の内側で互いに離間するように振り分けて配置したので、ケース体21の内側で出力線16e，16fと入力線16a，16bとが交差することを抑制でき、電波雑音を容易に抑制できる。
【００３４】
また、アースの連続性が確保されており、かつ、導電性である側板部32，33に出力線16e，16fと入力線16a，16bとをそれぞれ沿わせて位置決め固定したため、電波雑音をより低減することができる。
【００３５】
また、通常点灯用の第１の点灯ユニット51と非常点灯用の第２の点灯ユニット52とについて、第１の点灯ユニット51の出力端子部62と第２の点灯ユニット52の入力端子部67とが相対向するように取付体12に配置したため、第１の点灯ユニット51の出力端子部62と第２の点灯ユニット52の出力端子部69及び入力端子部67とが同じ方向を向くようにして配置する構成に比べ、ケース体21の内部での中間接続線16cなどの配線16を短くでき、コストを低減できる。
【００３６】
また、各点灯ユニット51，52は、取付体12のユニット固定部35を基台54の固定受部59に挿入し折り曲げるのみで取付体12へ固定でき、製造工程を簡略化して製造コストを低減できる。
【００３７】
さらに、各点灯ユニット51，52を取り付けた取付体12は、圧入するのみでケース体21に取り付けでき、製造工程を簡略化して製造コストを低減できる。
【００３８】
そして、このように各点灯ユニット51，52の取付体12への取り付け及び取付体12のケース体21への取り付けのいずれについても、ねじを用いる必要がなく、さらに、端板25もケース体21の外側に形成した受部28に螺合するため、ケース体21にねじが挿通する通孔を形成する必要がなく、防水性能を容易に向上できる。
【００３９】
また、各点灯ユニット51，52は、取付体12のユニット固定部35を基台54の固定受部59に挿入して折り曲げる取り付け作業と同時に各点灯ユニット51，52の基台54と取付体12とを電気的に接続でき、取付体12は、ケース体21へ圧入するのみで、ケース体21が導電材の表面を絶縁性の皮膜で覆って構成されている場合でも、爪状に突設した圧接部41で絶縁性の皮膜を剥いで導電材に直接的に接触させ、取付体12をケース体21に圧接して電気的に接続でき、各点灯ユニット51，52から取付体12を介してケース体21までアースの連続性を容易に確実に確保できる。
【００４０】
そして、このような点灯装置10を備えたため、電波雑音を容易に抑制でき、アース連続性を容易に確保できるとともに、製造が容易で製造コストを低減できる照明器具１を提供できる。
【００４１】
なお、上記の構成では、点灯回路15は、２個の点灯ユニット51，52を備えた構成について説明したが、この構成に限られず、３個以上の複数の点灯ユニットを備えた構成にも適用できる。また、複数の点灯ユニットを備えた構成に限られず、単一の点灯ユニットを備えた構成にも適用できる。
【００４２】
また、取付体12の端部に設けた凸部である圧接部41は、取付体12の四隅の近傍にそれぞれ設ける他、１カ所のみに設けこともでき、また、２カ所以上の複数箇所に設けることもできる。
【産業上の利用可能性】
【００４３】
本発明の点灯装置は、例えば、屋外に設置される防水形の照明器具に用いられる。
【図面の簡単な説明】
【００４４】
【図１】本発明の点灯装置の一実施の形態を示す分解斜視図である。
【図２】同上点灯装置の配線図である。
【図３】同上点灯装置の断面図である。
【図４】同上点灯装置の一部を拡大した斜視図である
【図５】同上点灯装置の一部を拡大した説明図である。
【図６】同上点灯装置を備えた照明器具の斜視図である
【符号の説明】
【００４５】
１    照明器具
２    器具本体
３    ランプソケット
４    ランプ
10    点灯装置
12    取付体
15    点灯回路
16a，16b  入力線
16e，16f  出力線
21    ケース体
31    基板部
32，33    側板部
41    圧接部
51    第１の点灯ユニット
52    第２の点灯ユニット
62    出力端子部
67    入力端子部
【図１】
2005093296.tif 000003
【図２】
2005093296.tif 000004
【図３】
2005093296.tif 000005
【図４】
2005093296.tif 000006
【図５】
2005093296.tif 000007
【図６】
2005093296.tif 000008